(57)【要約】【課題】基板の回路設計の自由度が高く、雌型コネクタの小型化が可能な基板接続用コネクタの提供を技術的課題とする。【解決手段】雄型コネクタ１１は、雄型ハウジング２１、雄型ターミナル２４を有する。雌型コネクタ１２は、雄型ハウジングに嵌合される雌型ハウジング３１、雌型ターミナル３５を有する。雌型ハウジング３１には、雄型ハウジング２１との嵌合側の端面３２ｄから基板３との対向面３１ａ側に貫通する嵌入孔３７が設けられ、雌型ターミナル３５は、接触部３５ｂ、雌型ハウジング３１の嵌入孔３７に嵌入されるアンカー部３６を有する。アンカー部３６の先端部分３６ａは、嵌入孔３７における雌型ハウジング３１の嵌合側の端面３２ｄ側から基板３との対向面３１ａ側に嵌入され、対向面３１ａより突出している。アンカー部３６の先端部分３６ａは、基板３の回路端子に半田付けされる。【選択図】  図２
2006269169.tif 000002
【特許請求の範囲】
【請求項１】
一方の基板に半田付けされる雄型コネクタと、他方の基板に半田付けされる雌型コネクタと、を備え、
前記雄型コネクタと前記雌型コネクタとが嵌合されることによって、前記基板同士が電気的に接続される基板接続用コネクタにおいて、
前記雄型コネクタは、絶縁性を有する雄型ハウジングと、前記雄型ハウジングに設けられ前記一方の基板に半田付けされる雄型ターミナルとを有し、
前記雌型コネクタは、絶縁性を有し前記雄型ハウジングに嵌合される雌型ハウジングと、前記雌型ハウジングに設けられ前記他方の基板に半田付けされると共に、前記雄型ターミナルに電気的に接続される雌型ターミナルとを有し、
前記雌型ハウジングには、前記雄型ハウジングとの嵌合側の端面から前記他方の基板との対向面側に貫通する嵌入孔と、底部とが形成され、
前記雌型ターミナルは、支持部と、前記雄型ターミナルに電気的に接触される接触部と、前記支持部と前記接触部との間に設けられた橋絡部と、前記支持部から延び、前記嵌入孔に嵌入されるアンカー部とを有し、
前記底部は、前記他方の基板と前記橋絡部の間に位置し、
前記アンカー部は、前記嵌入孔における前記雌型ハウジングの前記嵌合側の端面側から前記他方の基板との対向面側に嵌入され、
前記アンカー部の先端部分は、前記雌型コネクタの前記他方の基板との対向面より突出し、前記他方の基板の回路端子に半田付けされる基板接続用コネクタ。
【請求項２】
一方の基板に半田付けされる雄型コネクタと、他方の基板に半田付けされる雌型コネクタと、を備え、
前記雄型コネクタと前記雌型コネクタとが嵌合されることによって、前記基板同士が電気的に接続される基板接続用コネクタにおいて、
前記雄型コネクタは、絶縁性を有する雄型ハウジングと、前記雄型ハウジングに設けられ前記一方の基板に半田付けされる雄型ターミナルとを有し、
前記雌型コネクタは、絶縁性を有し前記雄型ハウジングに嵌合される雌型ハウジングと、前記雌型ハウジングにオーバモールドによって取り付けられ、前記他方の基板に半田付けされると共に、前記雄型ターミナルに電気的に接続される雌型ターミナルとを有し、
前記雌型ハウジングには、底部が形成され、
前記雌型ターミナルは、支持部と、前記雄型ターミナルに電気的に接触される接触部と、前記支持部と前記接触部との間に設けられた橋絡部と、前記支持部から前記他方の基板方向に延びるアンカー部とを有し、
前記底部は、前記他方の基板と前記橋絡部との間に位置し、
前記アンカー部の先端部分は、前記雌型ハウジングにおける前記他方の基板との対向面より突出し、前記他方の基板の回路端子に半田付けされる、基板用接続コネクタ。
【発明の詳細な説明】
【技術分野】
【０００１】
本発明は、基板同士を接続する基板接続用コネクタに関する。
【背景技術】
【０００２】
基板接続用コネクタは、一般に、一方の基板に半田付けされる雄型コネクタ（以下、プラグコネクタという）と、他方の基板に半田付けされると共に、雄型コネクタが嵌合される雌型コネクタ（以下、リセプタクルコネクタという）とを有している。
【０００３】
プラグコネクタ及びリセプタクルコネクタには、基板の回路端子に半田付けされて電気的に接続されるプラグターミナルと、リセプタクルターミナルとが設けられている。
【０００４】
そして、一方の基板に半田付けされたプラグコネクタと、他方の基板に半田付けされたリセプタクルコネクタとが嵌合されることによって、プラグターミナルとリセプタクルターミナルとが電気的に接続される。これにより、基板同士が基板接続用コネクタを介して電気的に接続される。
【０００５】
従来、各種の基板接続用コネクタが提案されている。例えば、リセプタクルターミナルに、プラグターミナルに電気的に接触する接触部と、リセプタクルターミナル自体をリセプタクルハウジングに固定するためのアンカー部と、リセプタクルターミナルを基板の回路端子に半田付けするためのソルダーテール部とを有している基板接続用コネクタが提案されている。
【０００６】
この基板接続用コネクタは、上記リセプタクルターミナルの上記接触部、及び上記アンカー部が同一方向に突出し、上記ソルダーテール部はアンカー部の反対側に突出していた。また、接触部、アンカー部、ソルダーテール部は、互いに間隔を開けて設けられていた。
【０００７】
そして、リセプタクルターミナルの接触部及びアンカー部は、リセプタクルハウジングにおける基板との対向面側からプラグハウジングとの嵌合面側に嵌入されている。ソルダーテール部は、基板側に向けて突出している。
【０００８】
また、リセプタクルターミナルの接触部と、アンカー部と、ソルダーテール部とが同一方向に突出し、このうち接触部及びアンカー部が、リセプタクルハウジングにおける嵌合側の端面側から基板との対向面側に嵌入され、ソルダーテール部がリセプタクルハウジングの外側に配置された基板接続用コネクタが提案されている。
【特許文献１】特開２００４−３０３７４３号公報
【特許文献２】特開平６−２１５８３７号公報
【特許文献３】特開平５−７５９７８号公報
【発明の開示】
【発明が解決しようとする課題】
【０００９】
しかしながら、従来の前者の基板接続用コネクタは、リセプタクルターミナルにおける接触部が、リセプタクルハウジングにおける基板との対向面側からプラグハウジングの嵌合側に嵌入されていたので、この接触部が基板側に露出されていた。
【００１０】
このため、基板におけるリセプタクルターミナルの接触部と対向する部分に回路が設けられていると、リセプタクルターミナルの接触部と、基板の回路とが短絡するおそれがあ
る。このため、基板の上記接触部と対向する部分には、回路を設けることができず、設計自由度が低下するという問題があった。
【００１１】
また、後者の基板接続用コネクタは、リセプタクルターミナルにおけるソルダーテール部がリセプタクルハウジングの外側に配置されていたので、アンカー部とソルダーテール部との間隔が大きくなり、リセプタクルコネクタが大型化するという問題があった。
【００１２】
本発明は、このような問題に鑑みなされたもので、基板の回路設計の自由度が高く、且つリセプタクルコネクタの小型化が可能な基板接続用コネクタの提供を技術的課題とする。
【課題を解決するための手段】
【００１３】
本発明は、前記課題を解決するため、以下の手段を採用した。
（１）本発明は、
一方の基板に半田付けされる雄型コネクタと、他方の基板に半田付けされる雌型コネクタと、を備え、
前記雄型コネクタと前記雌型コネクタとが嵌合されることによって、前記基板同士が電気的に接続される基板接続用コネクタにおいて、
前記雄型コネクタは、絶縁性を有する雄型ハウジングと、前記雄型ハウジングに設けられ前記一方の基板に半田付けされる雄型ターミナルとを有し、
前記雌型コネクタは、絶縁性を有し前記雄型ハウジングに嵌合される雌型ハウジングと、前記雌型ハウジングに設けられ前記他方の基板に半田付けされると共に、前記雄型ターミナルに電気的に接続される雌型ターミナルとを有し、
前記雌型ハウジングには、前記雄型ハウジングとの嵌合側の端面から前記他方の基板との対向面側に貫通する嵌入孔と、底部とが形成され、
前記雌型ターミナルは、支持部と、前記雄型ターミナルに電気的に接触される接触部と、前記支持部と前記接触部との間に設けられた橋絡部と、前記支持部から延び、前記嵌入孔に嵌入されるアンカー部とを有し、
前記底部は、前記他方の基板と前記橋絡部の間に位置し、
前記アンカー部は、前記嵌入孔における前記雌型ハウジングの前記嵌合側の端面側から前記他方の基板との対向面側に嵌入され、
前記アンカー部の先端部分は、前記雌型コネクタの前記他方の基板との対向面より突出し、前記他方の基板の回路端子に半田付けされる。
【００１４】
本発明では、リセプタクルターミナルの接触部及びアンカー部が、リセプタクルハウジングにおける嵌合側の端面側から基板との対向面側に嵌入されているので、接触部がリセプタクルハウジングの基板との対向面側に露出されない。
【００１５】
また、アンカー部の先端部分が基板の回路端子に半田付けされるので、従来のソルダーテール部が不要になる。
【００１６】
（２）また、本発明は、
一方の基板に半田付けされる雄型コネクタと、他方の基板に半田付けされる雌型コネクタと、を備え、
前記雄型コネクタと前記雌型コネクタとが嵌合されることによって、前記基板同士が電気的に接続される基板接続用コネクタにおいて、
前記雄型コネクタは、絶縁性を有する雄型ハウジングと、前記雄型ハウジングに設けられ前記一方の基板に半田付けされる雄型ターミナルとを有し、
前記雌型コネクタは、絶縁性を有し前記雄型ハウジングに嵌合される雌型ハウジングと、前記雌型ハウジングにオーバモールドによって取り付けられ、前記他方の基板に半田付
けされると共に、前記雄型ターミナルに電気的に接続される雌型ターミナルとを有し、
前記雌型ハウジングには、底部が形成され、
前記雌型ターミナルは、支持部と、前記雄型ターミナルに電気的に接触される接触部と、前記支持部と前記接触部との間に設けられた橋絡部と、前記支持部から前記他方の基板方向に延びるアンカー部とを有し、
前記底部は、前記他方の基板と前記橋絡部との間に位置し、
前記アンカー部の先端部分は、前記雌型ハウジングにおける前記他方の基板との対向面より突出し、前記他方の基板の回路端子に半田付けされる。
【発明の効果】
【００１７】
以上説明したように、本発明によれば、リセプタクルターミナルの接触部が基板との対向面側に露出されないので、基板における接触部との対向面に回路を設けることができ、設計自由度が高くなる。
【００１８】
また、リセプタクルターミナルにソルダーテール部を設ける必要がないので、リセプタクルターミナルを小型化できる。
【発明を実施するための最良の形態】
【００１９】
以下、図面を参照して本発明に係る基板接続用コネクタの実施の形態を説明する。図１に示すように、本発明に係る基板接続用コネクタ１は、基板２，３同士（図２参照）の間に配置される。
【００２０】
この基板接続用コネクタ１は、一方の基板２に半田付けされる雄型コネクタであるプラグコネクタ１１と、他方の基板３に半田付けされる雌型コネクタであるリセプタクルコネクタ１２とを備えている。
【００２１】
そして、プラグコネクタ１１とリセプタクルコネクタ１２とが嵌合されることによって、基板２，３同士が電気的に接続される。
【００２２】
上記プラグコネクタ１１は、絶縁性のあるプラグハウジング２１を有している。このプラグハウジング２１は、四角形に形成された平板状の橋絡部２２と、この橋絡部２２の両側に設けられ橋絡部２２の全長に沿って延びる比較的厚肉の嵌合用凸部２３とを有している。
【００２３】
両側の嵌合用凸部２３，２３の内面には、上記基板２に半田付けされる雄型ターミナルであるプラグターミナル２４が複数配列されている。これらのプラグターミナル２４は同一の間隔を開けて配置されている。
【００２４】
上記プラグターミナル２４は、嵌合用凸部２３における橋絡部２２側の端面２３ａに沿って配置された支持部２４ａと、この支持部２４ａの一端から下方に延びるＵ字状の接触部２４ｂとを有している。プラグターミナル２４は、バネ性のない剛性を有しており、導電性金属板を打ち抜いて一体成形されている。
【００２５】
なお、橋絡部２２には、プラグターミナル２４を橋絡部２２の上側から嵌合用凸部２３，２３間まで挿入するための孔２２ａが設けられている。
【００２６】
上記リセプタクルコネクタ１２は、絶縁性のある雌型ハウジングであるリセプタクルハウジング３１を有している。このリセプタクルハウジング３１は、プラグコネクタ１１におけるプラグハウジング２１を嵌合する四角形の枠部３２と、この枠部３２の底面に設けられた底部３３と、この底部３３における中央に設けられ枠部３２の内側に突出する中央
凸部３４とを有している。枠部３２の内側には、嵌合用凹部３２ａが形成されている。
【００２７】
リセプタクルハウジング３１における枠部３２の内側には、雌型ターミナルであるリセプタクルターミナル３５が複数配列されている。これらのリセプタクルターミナル３５は、枠部３２の嵌合側からリセプタクルハウジング３１内に挿入されている。このリセプタクルターミナル３５は、リセプタクルハウジング３１の嵌合側の端面３２ｄ側から、枠部３２の内面３２ｂ及び底部３３の内面３３ａを経て、中央凸部３４の側面３４ａまで延びている。
【００２８】
すなわち、リセプタクルターミナル３５は、枠部３２における嵌合側の端面３２ｄに設けられた溝３２ｃ内に配置された支持部３５ａと、この支持部３５ａの一端から下方に延びるＬ字状の橋絡部３５ｄと、この橋絡部３５ｄから上方に延びる接触部３５ｂとを有している。この接触部３５ｂにおける先端側の一辺はバネ性を有している。また、この一辺の先端には、上記プラグターミナル２４の接触部２４ｂに当接する山形の当接部３５ｃが設けられている。なお、リセプタクルターミナル３５は、導電性の金属板を打ち抜いて、一体成形されている。
【００２９】
リセプタクルターミナル３５の橋絡部３５ｄは、リセプタクルハウジング３１における底部３３の内面３３ａに沿って配置されている。従って、橋絡部３５ｄと基板３との間には、リセプタクルハウジング３１の底部３３が配置される。
【００３０】
このリセプタクルターミナル３５における支持部３５ａの中間部分には、接触部３５ｂと略平行に延びる直線状のアンカー部３６が設けられている。このアンカー部３６は、その中間における両側に凹部３６ｂ，３６ｂが設けられている。
【００３１】
一方、リセプタクルハウジング３１の枠部３２における嵌合側の端面３２ｄには、その反対面まで貫通する嵌入孔３７が設けられている。この嵌入孔３７の中間部分には、アンカー部３６の凹部３６ｂ，３６ｂに係合される凸部３７ａ，３７ａが設けられている。そして、リセプタクルターミナル３５のアンカー部３６が、嵌入孔３７に嵌入され、アンカー部３６の凹部３６ｂ，３６ｂが、嵌入孔３７の凸部３７ａ，３７ａに掛止される。これにより、リセプタクルターミナル３５がリセプタクルハウジング３１に固定される。
【００３２】
また、アンカー部３６の先端部分３６ａは、リセプタクルハウジング３１における基板３との対向面３１ａより外側に突出している。このアンカー部３６の先端部分３６ａは、基板３の回路端子３８に半田付けされる。
【００３３】
次に、この基板接続用コネクタ１の作用について、図２を参照して説明する。この基板接続用コネクタ１によって基板２，３を電気的に接続する場合は、一方の基板２における回路端子に、プラグコネクタ１１のプラグターミナル２４における支持部２４ａを半田付けする。これにより、基板２にプラグコネクタ１１が固定される。
【００３４】
また、他方の基板３における回路端子３８に、リセプタクルコネクタ１２のリセプタクルターミナル３５におけるアンカー部３６の先端部分３６ａを半田付けする。これにより、基板３にリセプタクルコネクタ１２が固定される。
【００３５】
次に、プラグコネクタ１１をリセプタクルコネクタ１２に挿入しようとすると、プラグハウジング２１の嵌合用凸部２３，２３がリセプタクルハウジング３１の嵌合用凹部３２ａに嵌り込んで、両方のコネクタ１１，１２が嵌合する。
【００３６】
プラグコネクタ１１とリセプタクルコネクタ１２とが嵌合されると、プラグターミナル
２４の接触部２４ｂに、リセプタクルターミナル３５の接触部３５ｂにおける当接部３５ｃが当接する。これによって、プラグターミナル２４とリセプタクルターミナル３５とが電気的に接続され、基板２，３が基板接続用コネクタ１を介して電気的に接続される。
【００３７】
そして、リセプタクルターミナル３５の橋絡部３５ｄと基板３との間には、リセプタクルハウジング３１の底部３３が形成されている。これにより、リセプタクルターミナル３５は、アンカー部３６の先端部分３６ａを除いて、リセプタクルハウジング３１における基板３との対向面３１ａ側に露出されていない。
【００３８】
従って、リセプタクルターミナル３５の橋絡部３５ｄが基板３に接触することがないので、基板３の橋絡部３５ｄとの対向面に、回路を設けることができる。これにより、基板３の回路設計の自由度が高くなる。
【００３９】
また、リセプタクルターミナル３５の直線状のアンカー部３６における先端部分３６ａが、リセプタクルハウジング３１における基板３との対向面３１ａより外側に突出して、基板３の回路端子３８に半田付けされている。これにより、リセプタクルコネクタ１２が基板３に固定されている。
【００４０】
従って、リセプタクルターミナル３５に、従来のソルダーテール部などを設ける必要がないので、リセプタクルターミナル３５及びこのリセプタクルターミナル３５を有するリセプタクルコネクタ１２全体を小型化できる。
【００４１】
なお、上記の実施形態では、リセプタクルターミナル３５にソルダーテール部を設けない場合について説明したが、図３に示すように、上記リセプタクルターミナル３５にソルダーテール部４１を更に設けたリセプタクルターミナル４０を例示できる。なお、以下の説明においては、図１と同一の部分には同一の符号を付けて詳細な説明を省略する。
【００４２】
このリセプタクルターミナル４０は、アンカー部３６において接触部３５の反対側にソルダーテール部４１が設けられている。このソルダーテール部４１は、アンカー部３６と同様に支持部３５ａの端部から基板３側に延びている。また、ソルダーテール部４１は、アンカー部３６と略同一の長さを有している。
【００４３】
このソルダーテール部４１は、略逆Ｌ字状に形成されている。そして、ソルダーテール部４１における先端の短辺部４２が基板３に半田付けされる。また、アンカー部３６の先端部分３６ａも基板３の回路端子３８に半田付けされる。
【００４４】
このリセプタクルターミナル４０は、ソルダーテール部４０とアンカー部３６との両方が基板３の回路端子３８に半田付けされるので、半田付け強度の向上を図ることができる。
【００４５】
なお、本実施の形態では、リセプタクルターミナル３５をリセプタクルハウジング３１に嵌入して取り付ける形態について説明したが、リセプタクルターミナル３５をオーバーモールドによってリセプタクルハウジング３１に取り付けてもよい。オーバーモールドによって製造された場合、アンカー部３６に凹部３６ｂは形成されず、嵌入孔３７に凸部３７ａも形成されない。アンカー部３６のリセプタクルハウジング３１と嵌入孔３７は、その縦断面が略一直線に形成される。
【図面の簡単な説明】
【００４６】
【図１】本発明の実施の形態に係る基板接合用コネクタのプラグコネクタとリセプタクルコネクタを分離した状態で示す斜視図である。
【図２】本発明の実施の形態に係る基板接合用コネクタを示す図であり、プラグコネクタとリセプタクルコネクタを嵌合した状態を示す断面図である。
【図３】本発明の別の実施の形態に係るリセプタクルターミナルを示す断面図である。
【符号の説明】
【００４７】
１  基板接続用コネクタ
２，３  基板
１１  プラグコネクタ（雄型コネクタ）
１２  リセプタクルコネクタ（雌型コネクタ）
２１  プラグハウジング（雄型ハウジング）
２２  橋絡部
２２ａ  孔
２３  嵌合用凸部
２３ａ  嵌合側の端面
２４  プラグターミナル（雄型ターミナル）
２４ａ  プラグターミナルの支持部
２４ｂ  プラグターミナルの接触部
３１  リセプタクルハウジング（雌型ハウジング）
３１ａ  基板との対向面
３２  枠部
３２ａ  嵌合用凹部
３２ｂ  嵌合用凹部の内面
３２ｃ  溝
３２ｄ  嵌合側の端面
３３  底部
３３ａ  内面
３４  中央凸部
３４ａ  側面
３５，４０  リセプタクルターミナル（雌型ターミナル）
３５ａ  支持部
３５ｂ  接触部
３５ｃ  当接部
３５ｄ  橋絡部
３６  アンカー部
３６ａ  アンカー部の先端部分
３６ｂ  アンカー部の凹部
３７  嵌入孔
３７ａ  嵌入孔の凸部
３８  基板の回路端子
４１  ソルダーテール部
４２  ソルダーテール部の短辺部
【図１】
2006269169.tif 000003
【図２】
2006269169.tif 000004
【図３】
2006269169.tif 000005